(57)【要約】【課題】電気錠を解錠するための照合用認証情報を遠隔地から登録及び変更できる鍵管理システムを提供すること。【解決手段】建物内の部屋への入室を許可された者が所持するＩＣカードに登録された認証情報を非接触で読み取るＩＣカードリーダー５と、この読み取った認証情報を前記部屋に関する照合用認証情報と照合し一致したときに前記部屋の電気錠を解錠する入退室管理装置３とを備えた鍵管理システムにおいて、入退室管理装置３に登録された照合用認証情報を、遠隔地の管理装置１により書き換え可能とした。【選択図】図１
2006028884.tif 000002
【特許請求の範囲】
【請求項１】
建物内の部屋への入室を許可された者が所持するＩＣカードに登録された認証情報を非接触で読み取るＩＣカードリーダーと、この読み取った認証情報を前記部屋に関する照合用認証情報と照合し一致したときに前記部屋の電気錠を解錠する入退室管理装置とを備えた鍵管理システムにおいて、
前記入退室管理装置に登録された照合用認証情報を、遠隔地の管理装置により書き換え可能としたことを特徴とする鍵管理システム。
【請求項２】
前記管理装置が、ＩＣカードに認証情報を登録し、この認証情報と一致する照合用認証情報を前記入退室管理装置に登録するようにした請求項１に記載の鍵管理システム。
【請求項３】
前記入退室管理装置が取得した前記電気錠の解錠及び施錠の履歴情報を、前記管理装置からアクセス可能とした請求項１又は２に記載の鍵管理システム。
【発明の詳細な説明】
【技術分野】
【０００１】
本発明は、ＩＣカードを利用して建物内の各部屋の解錠を行い、入退室を管理する鍵管理システムに関する。
【背景技術】
【０００２】
従来、建物内の各部屋の解錠及び施錠にあたっては、シリンダーキーやディンプルキーといった機械式の鍵を利用するのが主流であったが、近年、機械式の鍵に代わって磁気カードやＩＣカードが利用されるようになってきた（例えば特許文献１参照）。とくに、ＩＣカードは、非接触で情報を読み取り可能であり、また、電子マネー等の各種機能との組み合せも可能であることから、利便性が高く注目されている。
【０００３】
このＩＣカードを利用した鍵管理システムの基本構成は、建物内の部屋への入室を許可された者が所持するＩＣカードに登録された認証情報をＩＣカードリーダーで読み取り、この読み取った認証情報を対応する部屋に関する照合用認証情報と照合し、一致したときに対応する部屋の電気錠を解錠するというものである。
【特許文献１】特開平８−４４２０号公報
【発明の開示】
【発明が解決しようとする課題】
【０００４】
上述のようなＩＣカードを利用した鍵管理システムでは、照合用認証情報をＩＣカードリーダー側に登録する必要があり、従来、この登録や変更は、鍵管理システムが設置されている各建物に出向いて行っていた。そのため、照合用認証情報の新規登録や変更に手間が掛かり、迅速な対応ができないという問題があった。
【０００５】
また、各部屋の電気錠の解錠及び施錠の履歴情報も鍵管理システムが設置されている各建物に出向いて確認する必要があり、遠隔地からその履歴情報即ち入退室情報を確認することはできなかった。
【０００６】
そこで、本発明が解決しようとする課題は、電気錠を解錠するための照合用認証情報を遠隔地から登録及び変更できる鍵管理システムを提供することにある。
【０００７】
他の課題は、電気錠の解錠及び施錠の履歴情報を遠隔地で確認できる鍵管理システムを提供することにある。
【課題を解決するための手段】
【０００８】
本発明は、建物内の部屋への入室を許可された者が所持するＩＣカードに登録された認証情報を非接触で読み取るＩＣカードリーダーと、この読み取った認証情報を前記部屋に関する照合用認証情報と照合し一致したときに前記部屋の電気錠を解錠する入退室管理装置とを備えた鍵管理システムにおいて、前記入退室管理装置に登録された照合用認証情報を、遠隔地の管理装置により書き換え可能としたことを特徴とする。
【０００９】
本発明においては、遠隔地の管理装置によって、ＩＣカードに認証情報を登録すると共に、この認証情報と一致する照合用認証情報を入退室管理装置に登録することができる。
【００１０】
また、入退室管理装置が取得した電気錠の解錠及び施錠の履歴情報を、遠隔地の管理装置からアクセス可能とすることもできる。
【発明の効果】
【００１１】
本発明によれば、遠隔地の管理装置によって、電気錠を解錠するための照合用認証情報を登録及び変更できる。したがって、照合用認証情報の新規登録や変更を迅速に行うことができ、鍵管理を効率的に行うことができる。
【００１２】
また、電気錠の解錠及び施錠の履歴情報を遠隔地で確認することも可能となり、例えば緊急時に在室確認を建物外で行うことができるので、危機管理上も有用である。
【発明を実施するための最良の形態】
【００１３】
以下、図面に示す実施例に基づき本発明の実施の形態を説明する。
【００１４】
図１は、本発明の鍵管理システムの構成図である。同図に示す鍵管理システムは、遠隔地に設置された管理装置としての管理者用ＰＣ１と、建物内に設置され入退室管理サーバー２を介して管理者用ＰＣ１と通信する入退室管理装置３と、建物内の各部屋のドア４近傍にそれぞれ設置されたＩＣカードリーダー５と備えている。
【００１５】
図２は、図１の鍵管理システムの運用図である。まず、管理者用ＰＣ１は、建物内の部屋への入室を許可された者が所持するＩＣカードに、対応する部屋の認証情報を登録する。そして、管理者用ＰＣ１は対象物件の入退室管理サーバー２にアクセスし、その入退室管理サーバー２に接続されている入退室管理装置３の記憶部に、上記認証情報と同一の照合用認証情報を登録する。
【００１６】
ＩＣカードの所持者が入室時にＩＣカードをＩＣカードリーダー５にかざすと、ＩＣカードリーダー５によってＩＣカードに登録された認証情報が読み取られ、その認証情報が入退室管理装置３に送られる。入退室管理装置３は、受信した認証情報を登録されている照合用認証情報と照合し、一致したときに対応するドア４の電気錠を解錠する。
【００１７】
電気錠の解錠及び施錠の情報は、入退室管理装置３に送られ入退室管理サーバー２に履歴情報として蓄積される。この解錠及び施錠の履歴情報は、管理者用ＰＣ１からのアクセスにより管理者用ＰＣ１側で確認することができる。これにより、緊急時に管理者用ＰＣ１によって在室確認を行うことができ、また、家賃未納者への家賃取り立て時などには、在室を確認して訪問することが可能となる。
【００１８】
入退室管理装置３に登録された照合用認証情報は、管理者用ＰＣ１からのアクセスにより、変更することができる。これにより、照合用認証情報の登録及び変更を一々建物に出向いて行う必要がなくなる。また、部屋の入居者が変わったとしても、旧入居者が保持していたＩＣカードの照合用認証情報を、新入居者が保持するＩＣカードの照合用認証情報に変更するだけで済み、錠の取り替えを行う必要もないので、新入所者をスムーズに案内することができる。さらに、照合用認証情報を適宜変更することで、１枚のＩＣカードによって複数の部屋の解錠を行うこともできる。
【産業上の利用可能性】
【００１９】
本発明は、マンションを始めとして、各種物件の鍵管理及び入退室管理に利用できる。
【図面の簡単な説明】
【００２０】
【図１】本発明の鍵管理システムの構成図である。
【図２】図１の鍵管理システムの運用図である。
【符号の説明】
【００２１】
１  管理者用ＰＣ（管理装置）
２  入退室管理サーバー
３  入退室管理装置
４  ドア
５  ＩＣカードリーダー
【図１】
2006028884.tif 000003
【図２】
2006028884.tif 000004